(57)【要約】【課題】  上天井下地に施工誤差が生じても、間仕切り壁パネル内に通線できる。【解決手段】  床３に立設した間仕切り壁パネル４の上端面部を上天井下地１に連結すると共に間仕切り壁パネル４の側面部に下天井下地２の側端部を連結する。上天井下地１を複数の上野縁１２の長手方向の端部間に上振れ止め桟１５を架設して構成する。上野縁１２の長手方向の端部の上振れ止め桟１５を含む部分を設計上の間仕切り壁パネル４の正しい立設位置を越えてα寸法だけ余分に突出するように構成する。α寸法を、α≧α１＋α２に設定する（α１は現場における予測される上天井下地１１の施工誤差の寸法、α２は上振れ止め桟１５の長手方向と直交する横巾寸法）。間仕切り壁パネル４の内部の配線用空間４ｃと連通する通線用孔４ｄを設ける。通線用孔４ｄから配線用空間４ｃに配線２０を通す。【選択図】        図１
2006233652.tif 000002
【特許請求の範囲】
【請求項１】
上天井下地の側方で且つ下方に下天井下地を形成し、床の所定位置に立設した間仕切り壁パネルの上端面部を上天井下地の下面に連結すると共に間仕切り壁パネルの側面部に下天井下地の側端部を連結するものにおいて、上天井下地を、平面視で間仕切り壁パネルの長手方向と直交する方向に複数の上野縁を隔設すると共に複数の上野縁の長手方向の端部間に平面視で間仕切り壁パネルの長手方向と平行な上振れ止め桟を架設して構成し、上記上野縁の長手方向の端部の上振れ止め桟を含む部分を設計上の間仕切り壁パネルの正しい立設位置を越えてα寸法だけ余分に突出するように構成し、このα寸法を、α≧α１＋α２にあらかじめ設定し（ここで、α１は現場における予測される上天井下地１の施工誤差の寸法、α２は上振れ止め桟１５の長手方向と直交する横巾寸法）、間仕切り壁パネルの内部に配線用空間を形成すると共に上面部に配線用空間と外部空間とを連通する通線用孔を形成し、天井裏空間から通線用孔を介して間仕切り壁パネル内の配線用空間に配線を通して成ることを特徴とする間仕切り構造。
【発明の詳細な説明】
【技術分野】
【０００１】
本発明は、段付き天井の境界部分に間仕切り壁パネルを立設して構成する間仕切り構造に関するものである。
【背景技術】
【０００２】
従来から集合住宅やオフィスビル等において間仕切り壁を形成するには、まず天井スラブから吊り下げた吊り具に天井下地を吊下げるという天井下地工事を行い、次に、床の設計で決められた所定位置に間仕切り壁パネルを立設すると共に間仕切り壁パネルの上端部を天井下地の下面部に連結し、その後、天井下地の下面の間仕切り壁パネルでし切られた両側にそれぞれ天井材を取付けて間仕切りした室（廊下を含む）を形成するようにしている。（特許文献１参照）
ところが、近年、洗面室、トイレ等の水回り室や廊下の天井裏にダクト等を通すようにすることが行われ、このため、洗面室、トイレ等の水回り室や廊下の天井を居間や寝室等の普通の居室の天井よりも低くし、間仕切り壁パネルで間仕切りした２室の天井が段違いとなった段付き天井を形成するようにしている。
【０００３】
このような段付き天井においては、まず天井高さが高い方の上天井下地と、天井高さが低い方の下天井下地とを施工し、次に、間仕切り壁パネルを床に立設し、間仕切り壁パネルの上端面部を上天井下地の側端部とを連結すると共に、間仕切り壁パネルの側面部を下天井下地の側端部に連結するようになっている。
【０００４】
ここで、上天井下地は通常平面視で間仕切り壁パネルの長手方向と直交する複数列の上野縁により主体を構成してあり、この上野縁の長手方向の端部が間仕切り壁パネルの真上になるような寸法としてある。そして、複数の並設した上野縁の振れ止めを行うために複数の上野縁の長手方向の端部間に上振れ止め桟を架設して固定してあり、通常はこの上野縁の端部間に架設した上振れ止め桟部分の下面がちょうど間仕切り壁パネルの上端面部に位置するようになっている。このため、間仕切り壁パネル内に天井裏から配線を通すには上振れ止め桟に通線用孔を設け、この上振れ止め桟に設けた通線用孔と間仕切り壁パネルに設けた通線用孔とを連通させることで間仕切り壁パネル内に天井裏から配線を通さなければならない。したがって、上振れ止め桟に通線用孔を形成する必要があり、また、上天井下地の施工誤差により上振れ止め桟に設けた通線用孔と間仕切り壁パネルに設けた通線用孔とがぴったりと連通しない場合があり、天井裏から間仕切り壁パネル内に配線を通す作業がし難かったり、あるいは天井裏から間仕切り壁パネル内に配線を通すことができないという事態が生じたりするという問題があった。
【特許文献１】特開２００３−２７６３８号公報
【発明の開示】
【発明が解決しようとする課題】
【０００５】
本発明は上記の従来の問題点に鑑みて発明したものであって、段付き天井の境界部分に間仕切壁パネルを立設して間仕切りするに当たり、上天井下地の施工誤差があっても上野縁に邪魔されず簡単に天井裏から間仕切り壁パネル内の配線用空間に配線を通すことができる間仕切り構造を提供することを課題とするものである。
【課題を解決するための手段】
【０００６】
上記課題を解決するために本発明に係る間仕切り構造は、上天井下地１の側方で且つ下方に下天井下地２を形成し、床３の所定位置に立設した間仕切り壁パネル４の上端面部を上天井下地１の下面に連結すると共に間仕切り壁パネル４の側面部に下天井下地２の側端部を連結するものにおいて、上天井下地１を、平面視で間仕切り壁パネル４の長手方向と直交する方向に複数の上野縁１２を隔設すると共に複数の上野縁１２の長手方向の端部間に平面視で間仕切り壁パネル４の長手方向と平行な上振れ止め桟１５を架設して構成し、上記上野縁１２の長手方向の端部の上振れ止め桟１５を含む部分を設計上の間仕切り壁パネル４の正しい立設位置を越えてα寸法だけ余分に突出するように構成し、このα寸法を、α≧α１＋α２にあらかじめ設定し（ここで、α１は現場における予測される上天井下地１１の施工誤差の寸法、α２は上振れ止め桟１５の長手方向と直交する横巾寸法）、間仕切り壁パネル４の内部に配線用空間４ｃを形成すると共に上面部に配線用空間４ｃと外部空間とを連通する通線用孔４ｄを形成し、天井裏空間から通線用孔４ｄを介して間仕切り壁パネル４内の配線用空間４ｃに配線２０を通して成ることを特徴とするものである。
【０００７】
このような構成とすることで、上天井下地１と下天井下地２とで段付き天井の下地を構成するものにおいて、上天井下地１の施工誤差により上天井下地１の下天井下地２側の側端部の位置がずれても、必ず、上振れ止め桟１５が床３上に墨出し線等を基準として設計通りの位置に立設される間仕切り壁パネル４よりも外側（下天井下地２側）にずれた位置に位置することになり、したがって、間仕切り壁パネル４の上端面を上天井下地１に当接又は近接させても、上野縁１２の長手方向の端部において振れ止め機能を果たすために架設した上振れ止め桟１５が間仕切り壁パネル４の真上に存在せず、間仕切り壁パネル４の上端面部の通線用孔４ｄを介して天井裏空間から間仕切り壁パネル４内の配線用空間４ｃに配線２０を通すことができる。
【発明の効果】
【０００８】
本発明は、段付き天井において、上天井材の側端の振れ止め桟の位置が施工誤差で多少ずれても、この振れ止め桟に邪魔されることなく床の所定位置に正確に立設した間仕切り壁パネルの上端面部の通線用孔を介して天井裏空間から間仕切り壁パネル内の配線用空間に配線を通すことができる。
【発明を実施するための最良の形態】
【０００９】
以下、本発明を添付図面に示す実施形態に基いて説明する。
【００１０】
本発明は段付き天井の境界部分に間仕切り壁パネル４を立設して天井高さの高い部屋空間Ａと天井高さの低い部屋空間Ｂとに間仕切るようになっている。天井高さの高い部屋空間Ａとは集合住宅などにおいては例えば、居間、寝室、子供部屋等の通常の部屋空間のことであり、天井高さの低い部屋空間Ｂとは洗面室、トイレ等の水回り室や廊下等の部屋空間のことである。ちなみに洗面室、トイレ等の水回り室や廊下等の部屋空間の天井裏には排気ダクトＣ等を配設する必要があるため天井高さを低くする必要がある。
【００１１】
このように天井高さの高い部屋空間Ａと天井高さの低い部屋空間Ｂとに間仕切りするにあたっては、まず、図２に示すように建物の躯体である天井スラブ１１の下方に天井高さの高い部屋空間Ａの天井下地となる上天井下地１を施工すると共に、隣の天井高さの低い部屋空間Ｂの天井下地となる下天井下地２を施工する。
【００１２】
図２に示すように、上天井下地１は、互いに平行な複数列の上野縁１２と、上副野縁１３と、上振れ止め桟１５とで構成してある。
【００１３】
上記の上天井下地１は現場で施工されるものであり、天井スラブ１１から垂設した吊りボルト１６に上副野縁１３を吊り具１７により吊下げ、次に、上副野縁１３の下面側に上副野縁１３に対して直交するように上野縁１２を配置してクリップ金具１４により連結し、次に、複数の上野縁１２の長手方向の端部間に上振れ止め桟１５を架設することで上天井下地１を構成する。
【００１４】
図２に示すように下天井下地２は、互いに平行な複数列の下野縁９と、下副野縁１８と、下振れ止め桟１０とで構成してある。
【００１５】
上記の下天井下地２は現場で施工されるものであり、天井スラブ１１から垂設した吊りボルト１６に下副野縁１８を吊り具１７により吊下げ、次に、下副野縁１８の下面側に下副野縁１８に対して直交するように下野縁９を配置してクリップ金具１４により連結し、次に、複数の下野縁９の長手方向の端部間に下振れ止め桟１０を架設することで下天井下地２を構成する。上記下天井下地２は、上天井下地１の側方で且つ下方に位置するように形成するものである。
【００１６】
ここで、添付図面に示す実施形態では上天井下地１の上野縁１２の長手方向と下天井下地２の下野縁９の長手方向と平行で且つその長手方向が段付き天井の境界部分に立設する後述の間仕切り壁パネル４と直交する方向となっている。
【００１７】
上天井下地１は、本発明の間仕切り構造を設計する際、該上天井下地１の間仕切り壁パネル４側の端部（つまり下天井下地２側の端部）の上振れ止め桟１５を含む部分が、設計上の間仕切り壁パネル４の正しい立設位置を越えて図３に示すα寸法だけ余分に突出するように長く設計してある。このα寸法は、現場における予測される上天井下地１の施工誤差の寸法をα１とし、上振れ止め桟１５の長手方向と直交する横巾寸法α２とすると、α≧α１＋α２にあらかじめ設定してある。
【００１８】
また、下天井下地２は、本発明の間仕切り構造を設計する際、該下天井下地２の間仕切り壁パネル４側の端部（つまり上天井下地１側の端部）の下振れ止め桟１０の側面が、設計上の間仕切り壁パネル４の正しい立設位置における間仕切り壁パネル４の側面（下天井下地２側の側面）との間に隙間５が形成されるように図３に示すβ寸法だけ壁パネル４の側面から離れる方向に後退させた長さに設計してある。この隙間５の巾寸法であるβ寸法は、現場における予測される下天井下地２の施工誤差の寸法をβ１とすると、β≧β１に予め設定してある。
【００１９】
したがって、上天井下地１、下天井下地２を現場施工で施工する。この場合、上天井下地１の端部及び下天井下地２の端部の位置決めがし難く、施工誤差が生じやすいが、上天井下地１の上振れ止め桟１５は設計上の間仕切り壁パネル４の正しい立設位置を越えて下天井下地２側に突出して位置し、また、下天井下地２の下振れ止め桟１０は設計上の間仕切り壁パネル４の正しい立設位置における間仕切り壁パネル４の側面との間に隙間５が生じるようになる。
【００２０】
間仕切り壁パネル４は上記のようにして上天井下地１、下天井下地２を施工した後に床３に立設する。この場合、床３上面の墨打ち等により設計上決められた間仕切り壁パネル４の立設位置を出し、このようにして床３上に出した間仕切り壁パネル４の立設のための基準線となる墨出し線等を基準にして間仕切り壁パネル４を立設するものである。図１に示す実施形態では床３上に出した間仕切り壁パネル４の立設のための基準線となる墨出し線等を基準にして間仕切り壁パネル４を立設すべき設計通りの位置に床ランナー１９を敷設して固着し、更に、この床ランナー１９上に位置決めして間仕切り壁パネル４を立設固着することで間仕切り壁パネル４を床３の設計通りの所定位置に正確に立設するようにしている。もちろん床ランナー１９を施工することなく直接床３に間仕切り壁パネル４を立設してもよい。
【００２１】
上記のように床３上の設計通りの正確な位置に間仕切り壁パネル４を立設した間仕切り壁パネル４の上端部を上天井下地１の側端部の下面に当接し、間仕切り壁パネル４と上天井下地１の上野縁１２とを固着具等で固着することで連結する。間仕切り壁パネル４の上端面の上天井下地１への当接部分は上野縁１２の長手方向の端部よりも少し内側に引き込んだ部位の下面であり、上野縁１２の長手方向の端部間に架設した上振れ止め桟１５は間仕切り壁パネル４よりも外側方にずれて位置している。
【００２２】
また、床３上の設計通りの正確な位置に間仕切り壁パネル４を立設した間仕切り壁パネル４の側面と下天井下地２の側端との間には隙間５が形成されるので、下天井下地２を施工した後に間仕切り壁パネル４を床３上の設計通りの正確な位置に立設すると言えども、下天井下地２の側端が邪魔になって間仕切り壁パネル４を床３上の設計通りの正確な位置に立設できないというような現象が生じない。
【００２３】
上記間仕切り壁パネル４の側面と下天井下地２の側端との間に形成される隙間５にはスペーサ部材６を介在させ、該スペーサ部材６を介して下天井下地２と間仕切り壁パネル４とを固着具で固着して連結することで、間仕切り壁パネル４を上天井下地１だけでなく下天井下地２にも連結することができて、強固な連結ができる。
【００２４】
間仕切り壁パネル４はパネル枠４ａの両面に面板４ｂを取着して構成してあり、面板４ｂ間の空間が配線用空間４ｃとなっており、少なくともパネル枠４ａの上枠には通線用孔４ｄが形成してある。上記通線用孔４ｄは間仕切り壁パネル４を立設した状態で上野縁１２と交差しない位置（上野縁１２の真下を避けた位置）に形成する。
【００２５】
間仕切り壁パネル４内に天井裏空間から配線２０を通す場合は、上記のように間仕切り壁パネル４を立設した後に、図３に示すように天井裏空間から通線用孔４ｄを通して間仕切り壁パネル４の配線用空間４ｃに通線する。配線用空間４ｃ内に通線された配線２０はパネル枠４ａの他の箇所に設けた他の通線用孔から床下空間２１や隣接する間仕切り壁パネル４内に通線したり、あるいは、間仕切り壁パネル４の面板４ｂの一部に形成したコンセントやスイッチ等の配線器具を取付けるための配線器具取付け用孔（図示せず）から室内に導出して配線器具に接続し、その後に配線２０を接続した配線器具を上記面板４ｂに形成した配線器具取付け用孔部分に取付けたりする。
【００２６】
この場合、間仕切り壁パネル４の上端面は長手方向に対して上野縁１２が交差するのみで、上野縁１２と交差しない箇所に通線用孔４ｄを形成してあり、間仕切り壁パネル４の長手方向と平行な上振れ止め桟１５は間仕切り壁パネル４の上端面から外側方にずれて位置しているので、上記配線２０を通線用孔４ｄから間仕切り壁パネル４内の配線用空間４ｃに導入する場合の邪魔にならない。
【００２７】
上記のように間仕切り壁パネル４を立設して上天井下地１、下天井下地２に連結した後、図１、図４に示すように、上天井下地１の下面に上天井材７を取付けて該上天井材７の側端を間仕切り壁パネル４の一側面に当接し、下天井下地２の下面に下天井材８を取付けると共に該下天井材８の側端部を下天井下地２の側端部よりも突出させて該突出先端を間仕切り壁パネル４の他側面に当接することで、天井高さの高い部屋空間Ａの天井と天井高さの低い部屋空間Ｂの天井とを形成する。
【００２８】
このようにして段付き天井の境界部分を境にして天井高さの高い部屋空間Ａと天井高さの低い部屋空間Ｂとに間仕切りするものである。
【００２９】
なお、添付図面に示す実施形態において床３は床スラブ２２上にスタッド２３を立設して該スタッド２３に床パネル３ａ、捨張合板３ｂを載設することで床３を構成するものであり、床３の捨張合板３ｂ上に間仕切り壁パネル４を立設する。捨張合板３ｂ上には間仕切り壁パネル４の立設後に床仕上げ材３ｃを敷設する。また、図中２４は幅木であり、この幅木２４は床仕上げ材３ｃの施工後に床仕上げ材３ｃと間仕切り壁パネル４とのなすコーナ部分に取付ける。
【図面の簡単な説明】
【００３０】
【図１】本発明の一部省略断面図である。
【図２】同上の上天井下地及び下天井下地を施工した状態の断面図である。
【図３】同上の間仕切り壁パネルを立設した状態を示す断面図である。
【図４】同上の上天井材、下天井材を施工した状態を示す断面図である。
【符号の説明】
【００３１】
１  上天井下地
２  下天井下地
３  床
４  間仕切り壁パネル
４ｃ  配線用空間
４ｄ  通線用孔
１２  上野縁
１５  上振れ止め桟
２０  配線
【図１】
2006233652.tif 000003
【図２】
2006233652.tif 000004
【図３】
2006233652.tif 000005
【図４】
2006233652.tif 000006